(57)【要約】【課題】部品点数の削減や作業ばらつきの低減を図ることにより、一層安価かつ安定して作業性良くワイヤハーネスの外装材から突出する電線の端末を保護することができる、新規なワイヤハーネスの電線保護構造を提供すること。【解決手段】電線保護シート１０において、コネクタ３８側に位置するコネクタ側辺部１２の長さ寸法：Ｌ１が、外装材３４側に位置する外装材側辺部１４の長さ寸法：Ｌ２よりも長くされている一方、電線保護シート１０の長さ方向両側端縁部２２，２４同士が、長さ方向両側端縁部２２，２４に設けられた機械的係合構造２６，２８により連結されることで、電線保護シート１０が電線端末３６を外周側から覆蓋する筒形状に保持されているようにした。【選択図】図２
2015042057.tif 000002
【特許請求の範囲】
【請求項１】
電線束に外挿された外装材から突出する電線端末がコネクタに接続されていると共に、前記電線端末の周囲に電線保護シートが巻き付けられているワイヤハーネスの電線保護構造であって、
前記電線保護シートにおいて、前記コネクタ側に位置するコネクタ側辺部の長さ寸法が、前記外装材側に位置する外装材側辺部の長さ寸法よりも長くされている一方、
前記電線保護シートの長さ方向両側端縁部同士が、該長さ方向両側端縁部に設けられた機械的係合構造により連結されることで、前記電線保護シートが前記電線端末を外周側から覆蓋する筒形状に保持されている
ことを特徴とするワイヤハーネスの電線保護構造。
【請求項２】
前記電線保護シートの前記外装材側辺部には、該外装材側辺部の長さ寸法よりも短い長さ寸法を有する固定用突片が突設されており、該固定用突片が前記外装材の外面に固定部材により固定されている請求項１に記載のワイヤハーネスの電線保護構造。
【請求項３】
前記電線保護シートの前記長さ方向両側端縁部の一方が、前記電線端末に最初に巻き付けられる巻付開始側端縁部とされ、前記長さ方向両側端縁部の他方が、前記電線端末に最後に巻き付けられる巻付終了側端縁部とされており、前記固定用突片が前記巻付開始側端縁部の近傍に設けられている請求項２に記載のワイヤハーネスの電線保護構造。
【請求項４】
前記電線保護シートの前記機械的係合構造は、前記長さ方向両側端縁部の一方に設けられて前記外装材側辺部から前記コネクタ側辺部に至らない長さで延びる第１スリットと、前記長さ方向両側端縁部の他方に設けられて前記コネクタ側辺部から前記外装材側辺部に至らない長さで延びる第２スリットを含んで構成されており、
前記第１スリットと前記第２スリットをそれぞれの開口部から嵌め入れることにより、前記長さ方向両側端縁部同士が連結されている請求項１〜３の何れか１項に記載のワイヤハーネスの電線保護構造。
【請求項５】
前記電線保護シートの前記長さ方向両側端縁部の一方が、前記電線端末に最初に巻き付けられる巻付開始側端縁部とされ、前記長さ方向両側端縁部の他方が、前記電線端末に最後に巻き付けられる巻付終了側端縁部とされていると共に、
前記巻付開始側端縁部には、該巻付開始側端縁部の延出方向に延びる挿通孔が貫設されている一方、前記巻付終了側端縁部には、前記挿通孔を挿通可能な折返辺部と、前記巻付終了側端縁部から前記外装材側に突出して前記挿通孔を挿通可能なアンカー突部とが設けられており、前記挿通孔と前記折返辺部および前記アンカー突部を含んで前記機械的係合構造が構成されている一方、
前記挿通孔に前記折返辺部と前記アンカー突部を挿通させると共に、前記折返辺部を挿通方向と反対方向に折り返した状態で前記アンカー突部を前記外装材の外面に固定することで、前記長さ方向両側端縁部同士が連結されている請求項１〜３の何れか１項に記載のワイヤハーネスの電線保護構造。
【請求項６】
前記電線保護シートが、前記外装材と前記コネクタの離隔距離よりも大きな幅寸法を有している請求項１〜５の何れか１項に記載のワイヤハーネスの電線保護構造。
【請求項７】
前記電線保護シートの前記コネクタ側辺部と前記外装材側辺部が、中心を同一として半径寸法が異なる二つの円弧により構成されている請求項１〜６の何れか１項に記載のワイヤハーネスの電線保護構造。
【発明の詳細な説明】
【技術分野】
【０００１】
本発明は、自動車に配索されるワイヤハーネスの外装材から突出する電線の端末を保護するワイヤハーネスの電線保護構造に関するものである。
【背景技術】
【０００２】
従来から、自動車の内部には、バッテリーと各種電装品間を接続する多数の電線が結束されてなるワイヤハーネスが配索されている。このようなワイヤハーネスでは、他部材との干渉等による電線の損傷を防止する目的から、電線束の外周面に巻回される結束テープや、さらにその外周側に装着される合成樹脂製のコルゲートチューブ等の外装材により、各電線の保護を図ることが行われている。
【０００３】
ところで、ワイヤハーネスを構成する電線束の端末にコネクタが装着される場合には、略円筒形に結束された電線束の端末を、長手矩形状のコネクタ内に整列配置された端子金具にそれぞれ接続させるために、電線束の端末を略扇状に広げた状態とする必要がある。それ故、ワイヤハーネスの電線束の外周面に装着される外装材は、その終端をコネクタから所定寸法離れた位置に設定し、外装材の終端から略扇状に広がってコネクタに向かって突出する電線の端末を露出状態とすることにより、各電線のコネクタ接続部分に、外装材による負荷が加えられることを抑制することが行われている。
【０００４】
一方、外装材の端部から略扇状に広がって突出する電線端末についても、露出状態とせずにシート等で覆って保護したいという要請も多い。そこで、本出願人は、特開平１１−２１３７８６号公報（特許文献１）の図１（Ｂ）に示す如く、略台形状の保護シートを準備し、短辺側を外装材、長辺側をコネクタに向けた状態で扇状に広がった電線端末の外周面に巻き付け、保護シートの巻付終端内面を粘着剤で保護シートの外面に固着することで、電線端末を保護シートで覆うワイヤハーネスの電線保護構造を提案している。
【０００５】
しかしながら、このような電線保護構造では、保護シートを巻装状態に保持するために、電線端末を覆うように巻装した保護シートの巻付終端を粘着剤で保護シート外面に固着する必要がある。従って、シート材に加えて粘着剤も必要となることから、部品点数の増加や保管性の悪化が避けられないという問題があった。また、保護シートの巻付終端の粘着剤を保護シートの外面に固着する方法では、作業者により固着位置のばらつきが発生することが避けられず、固着位置によっては、保護シートの締め付けが強くなり、扇状に広がった電線端末に負荷が加えられるおそれがあった。さらに、ひとたび保護シートの巻付終端の粘着剤を保護シートの外面に固着してしまうと剥がすことが困難で、作業性が悪いという問題もあった。
【先行技術文献】
【特許文献】
【０００６】
【特許文献１】特開平１１−２１３７８６号公報
【発明の概要】
【発明が解決しようとする課題】
【０００７】
本発明は、上述の事情を背景に為されたものであって、その解決課題は、部品点数の削減や作業ばらつきの低減を図ることにより、一層安価かつ安定して作業性良くワイヤハーネスの外装材から突出する電線の端末を保護することができる、新規なワイヤハーネスの電線保護構造を提供することにある。
【課題を解決するための手段】
【０００８】
本発明の第一の態様は、電線束に外挿された外装材から突出する電線端末がコネクタに接続されていると共に、前記電線端末の周囲に電線保護シートが巻き付けられているワイヤハーネスの電線保護構造であって、前記電線保護シートにおいて、前記コネクタ側に位置するコネクタ側辺部の長さ寸法が、前記外装材側に位置する外装材側辺部の長さ寸法よりも長くされている一方、前記電線保護シートの長さ方向両側端縁部同士が、該長さ方向両側端縁部に設けられた機械的係合構造により連結されることで、前記電線保護シートが前記電線端末を外周側から覆蓋する筒形状に保持されていることを特徴とする。
【０００９】
本態様によれば、電線保護シートの外装材側辺部よりもコネクタ側辺部の長さ寸法が長くされていることから、扇状に広がった電線端末の周囲に電線保護シートを巻き付けた際に、コネクタ側に向かってラッパ状に広がる筒体を構成することができる。従って、電線保護シートを巻き付けても、コネクタ近傍の広がりの大きな電線端末部分に巻き付けによるテンションが掛かることを回避でき、電線端末に負荷を与えることを回避しつつ電線端末を電線保護シートで保護することができる。
【００１０】
しかも、電線保護シートが、長さ方向両側端縁部に設けられた機械的係合構造により連結されていることから、粘着剤を不要とすることができる。それ故、部品点数が削減されることは勿論、粘着剤が不要とされたことにより保管温度などの保管条件に気を配る必要がなくなることから、保管性の向上も図ることができる。また、従来構造の粘着剤の場合に比して、一旦電線保護シートを連結した後でも、機械的係合構造の係合を外すことで、簡単に電線保護シートの連結を解除することができ、電線保護シートの巻き直しなどの補正を容易に行うことができ、作業性も向上させることができる。
【００１１】
加えて、電線保護シートの長さ方向両側端縁部に設けられた機械的係合構造により、電線保護シートの長さ方向両側端縁部の連結部位が確定されていることから、従来構造の如き粘着剤を用いて連結する場合に問題となった作業者による固着位置のばらつきの発生も回避することができる。それ故、作業ばらつきにより電線端末の周囲に巻き付けられる電線保護シートの締め付けが強くなる不具合が回避でき、電線保護シートによる電線端末の所望の保護状態を安定して確保することができる。
【００１２】
なお、このように扇状に広がった電線端末の周囲に巻装されて筒形状をなす電線保護シートは、外装材側辺部を直接外装材に結束テープ等の固定部材で固定したり、後述の第２の態様に記載の如き、外装部材側辺部に突設された固定用突片を外装材に結束テープ等で固定することにより、ワイヤハーネスに固定することができる。
【００１３】
本発明の第二の態様は、前記第一の態様に記載のものにおいて、前記電線保護シートの前記外装材側辺部には、該外装材側辺部の長さ寸法よりも短い長さ寸法を有する固定用突片が突設されており、該固定用突片が前記外装材の外面に固定部材により固定されているものである。
【００１４】
本態様によれば、電線保護シートの外装材側辺部よりも長さ寸法が短い固定用突片を介して電線保護シートが外装材、ひいてはワイヤハーネスに固定されている。従って、例えば、電線保護シートの外装材側辺部を直接外装材にテープ巻き固定する場合に比して、外装材へ電線保護シートを固定する際に電線保護シートに加わる負荷を低減することができる。
【００１５】
本発明の第三の態様は、前記第二の態様に記載のものにおいて、前記電線保護シートの前記長さ方向両側端縁部の一方が、前記電線端末に最初に巻き付けられる巻付開始側端縁部とされ、前記長さ方向両側端縁部の他方が、前記電線端末に最後に巻き付けられる巻付終了側端縁部とされており、前記固定用突片が前記巻付開始側端縁部の近傍に設けられているものである。
【００１６】
本態様によれば、固定用突片が電線保護シートの巻付開始側端縁部の近傍に設けられていることから、はじめにワイヤハーネスの外装材の外面に固定用突片を重ね合せ、固定用突片を手指で押えつつ電線保護シートの巻付終了側端縁部を把持して電線端末の周囲に電線保護シートを巻き付けることができる。これにより、電線保護シートの巻付作業性の向上を図ることができる。
【００１７】
本発明の第四の態様は、前記第一乃至第三の何れか１つの態様に記載のものにおいて、前記電線保護シートの前記機械的係合構造は、前記長さ方向両側端縁部の一方に設けられて前記外装材側辺部から前記コネクタ側辺部に至らない長さで延びる第１スリットと、前記長さ方向両側端縁部の他方に設けられて前記コネクタ側辺部から前記外装材側辺部に至らない長さで延びる第２スリットを含んで構成されており、前記第１スリットと前記第２スリットをそれぞれの開口部から嵌め入れることにより、前記長さ方向両側端縁部同士が連結されているものである。
【００１８】
本態様によれば、機械的係合構造が、電線保護シートの長さ方向両側端縁部にそれぞれ設けられた第１スリットと第２スリットにより構成されていることから、簡単な構造で、長さ方向両側端縁部同士を強固に機械連結することができる。しかも、第１スリットと第２スリットは、電線保護シートの一部を切り欠くことで簡単に形成できることから、電線保護シートの収率の向上も図ることができる。
【００１９】
本発明の第五の態様は、前記第一乃至第三の何れか１つの態様に記載のものにおいて、前記電線保護シートの前記長さ方向両側端縁部の一方が、前記電線端末に最初に巻き付けられる巻付開始側端縁部とされ、前記長さ方向両側端縁部の他方が、前記電線端末に最後に巻き付けられる巻付終了側端縁部とされていると共に、前記巻付開始側端縁部には、該巻付開始側端縁部の延出方向に延びる挿通孔が貫設されている一方、前記巻付終了側端縁部には、前記挿通孔を挿通可能な折返辺部と、前記巻付終了側端縁部から前記外装材側に突出して前記挿通孔を挿通可能なアンカー突部とが設けられており、前記挿通孔と前記折返辺部および前記アンカー突部を含んで前記機械的係合構造が構成されている一方、前記挿通孔に前記折返辺部と前記アンカー突部を挿通させると共に、前記折返辺部を挿通方向と反対方向に折り返した状態で前記アンカー突部を前記外装材の外面に固定することで、前記長さ方向両側端縁部同士が連結されているものである。
【００２０】
本態様によれば、電線保護シートの巻付開始側端縁部に設けられた挿通孔と、巻付終了側端縁部に設けられた折返辺部およびアンカー突部とにより、機械的係合構造が構成されている。これにより、折返辺部の折り返し量を調節することにより、ワイヤハーネスの電線端末の大きさの違いを吸収することができ、電線保護シートの汎用性を向上させることができる。
【００２１】
しかも、電線保護シートの長さ方向両側端縁部同士、即ち、巻付開始側端縁部と巻付終了側端縁部の連結状態を、アンカー突部を外装材に固定することにより保持することができる。従って、アンカー突部に機械的係合構造とワイヤハーネスへの固定機能の両方を担わせることができ、固定用突部を不要とすることもでき、本発明の電線保護構造を効率的に実現することができる。なお、アンカー突部と固定用突部の両方を採用して固定強度や作業性の向上を図ることも勿論可能である。
【００２２】
なお、折返辺部の折り返し量の作業者によるばらつきについては、アンカー突部の挿通孔に対する位置を特定することで、規制することができる。例えば、寸法公差を吸収でき且つ電線端末に締め付け力を与えない位置にアンカー突部を設けておき、折返辺部を折り返した後のアンカー突部が挿通孔から離隔しないように位置決めすることで、電線端末に締め付け力が及ぼされることを有利に回避できるのである。
【００２３】
本発明の第六の態様は、前記第一乃至第五の何れか１つの態様に記載のものにおいて、前記電線保護シートが、前記外装材と前記コネクタの離隔距離よりも大きな幅寸法を有しているものである。
【００２４】
本態様によれば、電線保護シートの幅寸法が、外装材とコネクタの離隔距離よりも大きくされていることから、外装材とコネクタの間に露呈する電線端末をその全長に亘って覆蓋することができる。
【００２５】
本発明の第七の態様は、前記第一乃至第六の何れか１つの態様に記載のものにおいて、前記電線保護シートの前記コネクタ側辺部と前記外装材側辺部が、中心を同一として半径寸法が異なる二つの円弧により構成されているものである。
【００２６】
本態様によれば、コネクタ側辺部と外装材側辺部が中心を同一として半径寸法が異なる二つの円弧により構成されており、電線保護シート全体が扇形状を呈している。従って、扇形状に広がる電線端末の周囲に電線保護シートを巻き付けた際に、長さ方向両端縁部同士の重ね合せ部分に角部が突出することなく、滑らかに位置合わせできる。それ故、電線保護シートの重ね合せ部分に突出した角部が他部材と干渉するといった不具合の発生を未然に防止でき、ワイヤハーネスの見栄えも向上させることができる。
【発明の効果】
【００２７】
本発明によれば、電線保護シートの外装材側辺部よりもコネクタ側辺部の長さ寸法が長くされていることから、扇状に広がった電線端末の周囲に電線保護シートを巻き付けた際に、コネクタ側に向かってラッパ状に広がる筒体を構成することができる。それ故、電線端末に負荷を与えることを回避しつつ電線端末を電線保護シートで保護することができる。しかも、電線保護シートが機械的係合構造により連結されていることから、粘着剤を不要とすることができる。それ故、部品点数が削減できると共に、保管性や作業性も向上できる。加えて、機械的係合構造により電線保護シートの連結部位が確定されていることから、従来構造で問題となった作業者による固着位置のばらつきの発生も回避できる。
【図面の簡単な説明】
【００２８】
【図１】本発明の第一の実施形態としてのワイヤハーネスの電線保護構造に用いられる電線保護シートの平面図。
【図２】図１に示す電線保護シートを用いたワイヤハーネスの電線保護構造を示す平面図。
【図３】本発明のワイヤハーネスの電線保護構造に用いられる電線保護シートの他の態様を示す平面図。
【図４】図３に示す電線保護シートを用いたワイヤハーネスの電線保護構造を示す平面図。
【発明を実施するための形態】
【００２９】
以下、本発明の実施形態について、図面を参照しつつ説明する。
【００３０】
図１には、本発明の第一の実施形態としてのワイヤハーネスの電線保護構造に用いられる電線保護シート１０が示されている。電線保護シート１０は、帯状に延びる略扇形のシート状とされており、外周側のコネクタ側辺部１２の長さ寸法：Ｌ１が、内周側の外装材側辺部１４の長さ寸法：Ｌ２よりも長くなるように構成されている。より詳細には、本実施形態において、外周側のコネクタ側辺部１２と内周側の外装材側辺部１４が中心１６を同一とした２つの円弧により構成されており、半径寸法はそれぞれＲ１，Ｒ２とされている。
【００３１】
内周側の外装材側辺部１４の長さ方向一方の端部の近傍には、中心１６に向かってＴ字形状で突出する固定用突片２０が設けられており、固定用突片２０の基端部の長さ寸法：Ｌ３は、外装材側辺部１４の長さ寸法：Ｌ２よりも短くなるように形成されている。さらに、電線保護シート１０の幅寸法：Ｌ４は、後述する外装材であるコルゲートチューブ３４とコネクタ３８の離隔距離：Ｌ７よりも大きくされている。
【００３２】
電線保護シート１０の長さ方向両側端縁部２２，２４には、機械的係合構造を構成する第１スリット２６と第２スリット２８が設けられている。第１スリット２６は、長さ方向両側端縁部の一方である長さ方向一方の端縁部２２に設けられており、外装材側辺部１４に開口すると共に中心１６から離隔する方向に向かって略矩形状に延びる切欠部によって構成されている。本実施形態では、第１スリット２６の延出方向の長さ寸法：Ｌ５は、電線保護シート１０の幅寸法：Ｌ４の略半分の大きさとされている。なお、第１スリット２６は、電線保護シート１０の長さ方向に対して固定用突片２０と隣接して設けられていると共に、固定用突片２０よりもさ方向一方の端縁部２２側に配設されている。一方、第２スリット２８は、長さ方向両側端縁部の他方である長さ方向他方の端縁部２４に設けられており、コネクタ側辺部１２に開口すると共に中心１６に向かって略矩形状に延びる切欠部によって構成されている。本実施形態では、第２スリット２８の延出方向の長さ寸法：Ｌ６は、電線保護シート１０の幅寸法：Ｌ４の略半分の大きさすなわち第１スリット２６の延出方向の長さ寸法：Ｌ５と略同じとされている。
【００３３】
なお、電線保護シート１０は、絶縁性を有しており、例えばＰＶＣ（ポリ塩化ビニル）等の合成樹脂材料等からなるシート材を用いて、打抜き加工等により形成されている。すなわち、電線保護シート１０の厚さ寸法は全体に亘って略一定とされている。
【００３４】
次に、図２に、図１に示す電線保護シート１０を用いたワイヤハーネス３０の電線保護構造を説明するための平面図を示す。ここで、ワイヤハーネス３０は、電線束３２と、電線束３２に外挿された外装材であるコルゲートチューブ３４と、電線束３２の端末である電線端末３６に装着された長手矩形状のコネクタ３８、を備えて構成されている。かかるワイヤハーネス３０において、電線端末３６がコルゲートチューブ３４の端部４０から略扇状に広がって突出しコネクタ３８に接続されている。そして、この電線端末３６の周囲に、図１に示す帯状の電線保護シート１０を巻き付けることにより、電線端末３６が保護されるようになっている。
【００３５】
より詳細には、まず、電線保護シート１０の外装材側辺部１４側をコルゲートチューブ３４の端部４０側に一部分重ねた状態で、固定用突片２０がコルゲートチューブ３４の軸方向に平行になるように配設し、図示しない一方の手指で固定用突片２０をコルゲートチューブ３４の外面に仮固定する。これにより、図２に示すように、固定用突片２０と、固定用突片２０が設けられている電線保護シート１０の長さ方向一方の端縁部２２が、手前側に位置するように配置されている。この状態において、コネクタ側辺部１２がコネクタ３８側に、また外装材側辺部１４がコルゲートチューブ３４側に配置されていると共に、電線保護シート１０の長さ方向一方の端縁部２２が、電線端末３６に最初に巻き付けられる巻付開始側端縁部とされている。また、固定用突片２０が巻付開始側端縁部の近傍に設けられていることから、固定用突片２０を巻付開始部位の目印として利用することができ、電線保護シート１０の機械的係合構造による連結部位の位置決めに利用できるようになっている。
【００３６】
次に、一方の手指で固定用突片２０をコルゲートチューブ３４の外面に仮固定した状態で、他方の手指で電線保護シート１０の長さ方向他方の端縁部２４を把持して電線端末３６の周囲に巻き付ける。そして、第１スリット２６と第２スリット２８をそれぞれの開口部から嵌め入れることにより、第１スリット２６と第２スリット２８が機械的に係合して、電線保護シート１０の長さ方向両側端縁部２２，２４同士が連結される。ここで、電線保護シート１０の長さ方向他方の端縁部２４は、電線端末３６に最後に巻き付けられる巻付終了側端縁部とされている。そして、最後に、固定用突片２０に固定部材たる結束テープ４６を巻き付けることにより、固定用突片２０がコルゲートチューブ３４の外面に位置して固定されるのである。この状態において、電線保護シート１０の外装材側辺部１４よりも長さ寸法が短い固定用突片２０を介して電線保護シート１０がコルゲートチューブ３４に固定されていることから、外装材側辺部１４を直接コルゲートチューブ３４にテープ巻き固定する場合に比して、電線保護シート１０に加わる負荷を低減することができるのである。
【００３７】
このようにして電線端末３６の周囲に巻き付けられた電線保護シート１０は、コネクタ側辺部１２の長さ寸法：Ｌ１が外装材側辺部１４の長さ寸法：Ｌ２よりも長くされていることから、電線保護シート１０がコネクタ３８側に向かってラッパ状に広がる筒形状に保持されて、電線端末３６を外周側から覆蓋することができるようになっている。また、電線保護シート１０の幅寸法：Ｌ４が、コルゲートチューブ３４とコネクタ３８の離隔距離：Ｌ７よりも大きくされていることから、電線端末３６をその全長に亘って覆蓋できるようになっている。しかも、コネクタ側辺部１２と外装材側辺部１４が中心１６を同一として半径寸法が異なる二つの円弧により構成されていることから、電線保護シート１０の重ね合せ部分に突出した角部が他部材と干渉するといった不具合の発生を未然に防止できるのである。それ故、コネクタ３８近傍の広がりの大きな電線端末３６部分に電線保護シート１０の巻き付けによるテンションが掛かることを回避しつつ、極めて簡単な手順により、電線端末３６を電線保護シート１０で保護することができるのである。
【００３８】
以上のように、本実施形態では、機械的係合構造が、電線保護シート１０の長さ方向両側端縁部２２，２４にそれぞれ設けられた第１スリット２６と第２スリット２８により構成されていることから、簡単な構造で、長さ方向両側端縁部２２，２４同士を強固に機械連結することができる。しかも、電線保護シート１０の一部を切り欠くことで簡単に形成できることから、製造容易性の向上も図られる。
【００３９】
さらに、従来構造と異なり粘着剤を不要とできることから、部品点数削減に加えて、保管性の向上も図ることができる。また、電線保護シート１０を連結した後でも、機械的係合構造の係合を外すことで簡単に電線保護シート１０の連結を解除することができることから、電線保護シート１０の巻き直しなどの補正を容易に行うことができ、作業性も向上できる。
【００４０】
加えて、機械的係合構造により、電線保護シート１０の長さ方向両側端縁部２２，２４の連結部位が確定されていることから、従来構造で問題となった作業者による固着位置のばらつきの発生も回避することができ、電線保護シート１０による電線端末３６の所望の保護状態を安定して確保することができるのである。
【００４１】
なお、固定用突片２０の基端部の長さ寸法：Ｌ３に対する外装材側辺部１４の長さ寸法：Ｌ２の比率（Ｌ３／Ｌ２）は任意に設定可能であるが、電線保護シート１０に加わる負荷の低減や巻付開始部位の目印として利用の観点から、Ｌ３／Ｌ２は、好ましくは１／３〜１／２０の範囲、より好ましくは１／５〜１／１５の範囲に設定される（本実施形態では１／１０程度）。要するに、固定用突片２０の基端部の長さ寸法：Ｌ３が外装材側辺部１４の長さ寸法：Ｌ２の１／３を超えると、電線保護シート１０に加わる負荷の低減効果が十分とは言えない上に、巻付開始部位の目印として利用し辛くなるためである。加えて、強度の観点から、固定用突片２０の基端部の長さ寸法：Ｌ３は、外装材側辺部１４の長さ寸法：Ｌ２の１／２０以上であることが望ましい。
【００４２】
次に、図３を用いて、本発明のワイヤハーネス３０の電線保護構造を構成する他の態様の電線保護シート５０について詳述するが、上記実施形態と同様な構造とされた部材および部位については、図中に、上記実施形態と同一の符号を付することにより、それらの詳細な説明を省略する。すなわち、かかる電線保護シート５０は、巻付開始側端縁部たる長さ方向一方の端縁部２２に、長さ方向一方の端縁部２２の延出方向に延びる挿通孔５２が貫設されている一方、巻付終了側端縁部たる長さ方向他方の端縁部２４に、挿通孔５２へ挿通可能な折返辺部５４と、長さ方向他方の端縁部２４からコルゲートチューブ３４側に突出して（図４参照）挿通孔５２へ挿通可能なアンカー突部５６とが設けられている点に関して、上記実施形態と異なる実施形態を示すものである。
【００４３】
より詳細には、本実施形態においては、挿通孔５２の延出長さ寸法：Ｌ８は、折返辺部５４の長さ寸法：Ｌ９よりも僅かに大きく形成されており、折返辺部５４が挿通孔５２に対して容易且つ確実に挿通可能に構成されている。また、挿通孔５２は固定用突片２０よりも長さ方向一方の端縁部２２側に設けられている一方、アンカー突部５６は折返辺部５４よりも長さ方向他方の端縁部２４側に設けられている。アンカー突部５６は、長さ方向他方の端縁部２４の外装材側辺部１４から内方に向かって固定用突片２０と略同形状で突設されており、挿通孔５２と折返辺部５４およびアンカー突部５６を含んで機械的係合構造が構成されている。
【００４４】
図４に示されているように、電線保護シート５０においては、固定用突片２０をコルゲートチューブ３４の外面に仮固定した状態で、長さ方向他方の端縁部２４を把持して電線端末３６の周囲に巻き付けて、アンカー突部５６および折返辺部５４を挿通孔５２に挿通させることにより、電線保護シート１０の長さ方向両側端縁部２２，２４同士が連結されるようになっている。より詳細には、挿通孔５２にアンカー突部５６および折返辺部５４を挿通させた後、折返辺部５４を挿通方向と反対方向に折り返した状態で、アンカー突部５６が結束テープ４６によりコルゲートチューブ３４の外面に位置して固定されることにより、長さ方向両側端縁部２２，２４同士が連結されるようになっているのである。以上のように、本態様の電線保護シート５０においても、電線保護シート５０の長さ方向両側端縁部同士２２，２４が長さ方向両側端縁部２２，２４に設けられた機械的係合構造５２，５４，５６により連結されることで、前実施形態の電線保護シート１０と略同様の構造とすることができるので、同様の効果を得ることができるのである。なお、挿通孔５２にアンカー突部５６および折返辺部５４を挿通させた後、折返辺部５４を挿通方向と反対方向に折り返すことなくアンカー突部５６を結束テープ４６によりコルゲートチューブ３４の外面に固定してもよい。
【００４５】
加えて、本実施形態の電線保護シート５０によれば、折返辺部５４を設ける長さ方向の位置を調節することにより、折り返し量（長さ方向の折り返し寸法）を変えてワイヤハーネス３０の電線端末３６の大きさの違いを吸収することができることから、電線保護シート５０の汎用性を向上させることができるのである。なお、折返辺部５４の折り返し量の作業者によるばらつきについては、アンカー突部の挿通孔に対する位置を特定することで、規制することができる。例えば、寸法公差を吸収でき且つ電線端末３６に締め付け力を与えない位置にアンカー突部５６を設けておき、折返辺部５４を折り返した後のアンカー突部５６が挿通孔５２から離隔しないように位置決めすることで、電線端末３６に締め付け力が及ぼされることを有利に回避することができる。
【００４６】
しかも、電線保護シート５０の長さ方向両側端縁部２２，２４同士の連結状態を、アンカー突部５６をコルゲートチューブ３４に固定することにより保持することができる。従って、アンカー突部５６に機械的係合構造とワイヤハーネス３０への固定機能の両方を担わせることができるので、固定用突部を不要とすることもでき、本発明の電線保護構造を効率的に実現することができる。なお、アンカー突部５６と固定用突片２０の両方を採用して固定強度や作業性の向上を図ることも勿論可能である。
【００４７】
以上、本発明の実施形態について詳述したが、本発明はその具体的な記載によって限定されない。例えば、上記実施形態では、電線保護シート１０，５０をコルゲートチューブ３４に対して固定用突片２０を介して固定していたが、電線保護シート１０，５０の外装材側辺部１４を直接コルゲートチューブ３４に結束テープ４６で固定してもよい。
【００４８】
また、上記実施形態では、固定用突片２０の形状はＴ字状とされていたが、短冊状や半円形など任意に設定可能である。さらに、電線保護シート１０，５０の形状は扇形状とされていたが、台形状などでもよい。加えて、スリット２６，２８の形状についても矩形状に限定されるものではなく、三角形状などが採用可能である。但し、スリット２６，２８の延出方向の長さ寸法：Ｌ５，Ｌ６については、その和（Ｌ５＋Ｌ６）が電線保護シート１０の幅寸法：Ｌ４と略等しくなるように構成されることが望ましい。
【符号の説明】
【００４９】
１０，５０：電線保護シート、１２：コネクタ側辺部、１４：外装材側辺部、１６：中心、２０：固定用突片、２２：長さ方向一方の端縁部（長さ方向両側端縁部の一方，巻付開始側端縁部）、２４：長さ方向他方の端縁部（長さ方向両側端縁部の他方，巻付終了側端縁部）、２６：第１スリット（機械的係合構造）、２８：第２スリット（機械的係合構造）、３０：ワイヤハーネス、３２：電線束、３４：コルゲートチューブ（外装材）、３６：電線端末、３８：コネクタ、４６：結束テープ（固定部材）、５２：挿通孔（機械的係合構造）、５４：折返辺部（機械的係合構造）、５６：アンカー突部（機械的係合構造）
【図１】
2015042057.tif 000003
【図２】
2015042057.tif 000004
【図３】
2015042057.tif 000005
【図４】
2015042057.tif 000006